(57)【特許請求の範囲】
【請求項１】
前面パネルに、操作部として、バーナーの点火と消火を行う点消火ボタンと、バーナーの火力を調節する火力調節レバーとが設けられたこんろにおいて、前面パネルに操作部用開口が設けられ、該操作部用開口に前記点消火ボタンが配置されると共に、該操作部用開口の縁部と前記点消火ボタンとの間に前記縁部から前記点消火ボタンにまで亘るレバー用隙間が形成され、該レバー用隙間に火力調節レバーが配置されたことを特徴とするこんろ。
【請求項２】
前記点消火ボタンは前後に回動自在に枢支されると共にこの枢支される部分よりも前側且つ下側の位置に押し操作部を有し、該押し操作部を押し操作して点消火ボタンが下側後方に回動されることで前記バーナーの点火と消火の切り替えが行われるものであり、前記レバー用隙間が点消火ボタンと操作部用開口の上縁部との間に形成され、該レバー用隙間に前記火力調節レバーが配置されたことを特徴とする請求項１に記載のこんろ。
【請求項３】
前記点消火ボタンは前後に回動自在に枢支されると共にこの枢支される部分よりも前側且つ上側の位置に押し操作部を有し、該押し操作部を押し操作して点消火ボタンが上側後方に回動されることで前記バーナーの点火と消火の切り替えが行われるものであり、前記レバー用隙間が点消火ボタンと操作部用開口の下縁部との間に形成され、該レバー用隙間に前記火力調節レバーが配置されたことを特徴とする請求項１に記載のこんろ。
【発明の詳細な説明】
【技術分野】
【０００１】
本発明はこんろに関する。
【背景技術】
【０００２】
一般的なこんろの前面パネルには、バーナーの点火と消火を行う点消火ボタンと、バーナーの火力を調節する火力調節レバーが設けられている。例えば特許文献１には、前面パネルに点消火ボタンと火力調節レバーが上下に離れて設けられたこんろが開示されている。
【先行技術文献】
【特許文献】
【０００３】
【特許文献１】特開２０００−３３７６３７号公報
【発明の概要】
【発明が解決しようとする課題】
【０００４】
ところで、特許文献１のように前面パネルに点消火ボタンと火力調節レバーを離間して設けるには、前面パネルに点消火ボタンを配置するための開口と火力調節レバーを配置するための開口を別々に形成する必要がある。しかし、前記両開口を近い位置に形成すると、前面パネルの両開口間の部位の強度が低下してしまう。逆に両開口を離れた位置に形成すると、前面パネルに点消火ボタンと火力調節レバーの両者を配置するために大きなエリアが必要となる。
【０００５】
また、最近では、グリルバーナーの火力をマイクロコンピューター等で自動制御する機能（いわゆるオートグリル機能）を有するこんろの普及が進んでいる。このこんろには、前面パネルにグリルバーナー用の点消火ボタンと設定用の操作パネルが設けられ、グリルバーナー用の火力調節レバーを省略したものがある。この火力調節レバーを省略したこんろの製造コストを抑えるには、前面パネルとして、火力調節レバーを省略していないこんろの前面パネルを用いることが考えられる。しかし、このように異なる機種の前面パネルを兼用した場合、火力調節レバーを省略したこんろにあっては、前面パネルに形成された火力調節レバーを配置するための開口がブランクとして残り外観が損なわれる。
【０００６】
本発明は上記事情に鑑みてなされたものであって、前面パネルの強度低下を抑えることができ、点消火ボタンと火力調節レバーの両者を狭いエリアに配置でき、しかも美観を保ちつつ前面パネルを、火力調節レバーを省略したこんろの前面パネルとして兼用できるこんろを提供することを課題とする。
【課題を解決するための手段】
【０００７】
上記課題を解決するために本発明のこんろは、前面パネル１２，１３に、操作部として、バーナー３ａ〜３ｃの点火と消火を行う点消火ボタン１４ａ〜１４ｃと、バーナー３ａ〜３ｃの火力を調節する火力調節レバー１５ａ〜１５ｃとが設けられたこんろにおいて、前面パネル１２，１３に操作部用開口３６ａ〜３６ｃが設けられ、該操作部用開口３６ａ〜３６ｃに前記点消火ボタン１４ａ〜１４ｃが配置されると共に、該操作部用開口３６ａ〜３６ｃの縁部と前記点消火ボタン１４ａ〜１４ｃとの間に前記縁部から前記点消火ボタン１４ａ〜１４ｃにまで亘るレバー用隙間４７ａ〜４７ｃが形成され、該レバー用隙間４７ａ〜４７ｃに火力調節レバー１５ａ〜１５ｃが配置されたことを特徴とする。
【０００８】
この構成により、点消火ボタン１４ａ〜１４ｃと火力調節レバー１５ａ〜１５ｃを一つの操作部用開口３６ａ〜３６ｃに配置できるため、前面パネル１２，１３の強度低下を抑えることができ、また、点消火ボタン１４ａ〜１４ｃと火力調節レバー１５ａ〜１５ｃを小さなエリアに配置することができる。また、前記操作部用開口３６ａ〜３６ｃが設けられる前面パネル１２，１３は、オートグリル機能を有し火力調節レバー１５ａ〜１５ｃを省略したこんろ等の前面パネルとしても用いることができる。この場合、操作部用開口３６ｃには点消火ボタンのみが配置され、レバー用隙間４７ｃには火力調節レバーが配置されないが、操作部用開口３６ｃに点消火ボタンが配置されることでレバー用隙間４７ｃは目立ち難い隙間となる。このため、美観を大きく損なうことがない。
【０００９】
また、前記点消火ボタン１４ａ〜１４ｃは前後に回動自在に枢支されると共にこの枢支される部分４１よりも前側且つ下側の位置に押し操作部４３を有し、該押し操作部４３を押し操作して点消火ボタン１４ａ〜１４ｃが下側後方に回動されることで前記バーナー３ａ〜３ｃの点火と消火の切り替えが行われるものであり、前記レバー用隙間４７ａ〜４７ｃが点消火ボタン１４ａ〜１４ｃと操作部用開口３６ａ〜３６ｃの上縁部との間に形成され、該レバー用隙間４７ａ〜４７ｃに前記火力調節レバー１５ａ〜１５ｃが配置されることが好ましい。このようにすると、点消火ボタン１４ａ〜１４ｃ上に付着した汚れを掃除するにあたって、火力調節レバー１５ａ〜１５ｃを適宜移動すると共に点消火ボタン１４ａ〜１４ｃを押し操作することで、操作部用開口３６ａ〜３６ｃの上縁と点消火ボタン１４ａ〜１４ｃとの間に掃除用の布等を挿入するための比較的大きな隙間を形成することができ、これにより点消火ボタン１４ａ〜１４ｃを容易に掃除できる。また、点消火ボタン１４ａ〜１４ｃの上方に火力調節レバー１５ａ〜１５ｃを配置することで、手を下に伸ばして火力調節レバー１５ａ〜１５ｃを操作するときに点消火ボタン１４ａ〜１４ｃが邪魔になり難く、火力調節レバー１５ａ〜１５ｃを容易に操作することができる。また、これにより火力調節レバー１５ａ〜１５ｃの前方への突出量を短くし、外観を向上できる。
【００１０】
また、前記点消火ボタン１４ａ〜１４ｃは前後に回動自在に枢支されると共にこの枢支される部分４１よりも前側且つ上側の位置に押し操作部４３を有し、該押し操作部４３を押し操作して点消火ボタン１４ａ〜１４ｃが上側後方に回動されることで前記バーナー３ａ〜３ｃの点火と消火の切り替えが行われるものであり、前記レバー用隙間４７ａ〜４７ｃが点消火ボタン１４ａ〜１４ｃと操作部用開口３６ａ〜３６ｃの下縁部との間に形成され、該レバー用隙間４７ａ〜４７ｃに前記火力調節レバー１５ａ〜１５ｃが配置されることが好ましい。このようにすると、点消火ボタン１４ａ〜１４ｃを押し操作することで、火力調節レバー１５ａ〜１５ｃの上方に掃除用の布等を挿入するための比較的大きな隙間を形成することができ、これにより火力調節レバー１５ａ〜１５ｃの上面を容易に掃除できる。また、点消火ボタン１４ａ〜１４ｃの下方に火力調節レバー１５ａ〜１５ｃが配置されるので、手を下に伸ばして点消火ボタン１４ａ〜１４ｃを押し操作するときに火力調節レバー１５ａ〜１５ｃが邪魔になり難く、容易にバーナー３ａ〜３ｃの点火と消火の切り替えを行なうことができる。
【発明の効果】
【００１１】
本発明のこんろは、前面パネルの強度低下を抑えることができ、点消火ボタンと火力調節レバーの両者を狭いエリアに配置でき、前面パネルの他の部分を有効に利用できる。また、美観を保ちつつ前面パネルを火力調節レバーを省略したこんろの前面パネルとして兼用できる。
【図面の簡単な説明】
【００１２】
【図１】本実施形態のこんろの器具栓の断面図であり、（ａ）はスライダーが前進位置にある状態、（ｂ）はスライダーが後退位置にある状態、（ｃ）はスライダーが最後退位置にある状態を示す。
【図２】こんろの斜視図である。
【図３】燃料ガスの流路構成を示す説明図である。
【図４】こんろバーナーの断面図である。
【図５】器具栓本体の平面図である。
【図６】操作部用開口近傍の断面を示した説明図であり、（ａ）は点消火ボタンが前位置に配置された状態を示し、（ｂ）は点消火ボタンが前位置から後方に押し込まれた状態を示す。
【図７】他の実施形態の操作部用開口近傍の断面を示した説明図であり、（ａ）は点消火ボタンが前位置に配置された状態を示し、（ｂ）は点消火ボタンが前位置から後方に押し込まれた状態を示す。
【図８】参考例の操作部用開口近傍の断面を示した説明図であり、（ａ）は点消火ボタンが前位置に配置された状態を示し、（ｂ）は点消火ボタンが前位置から後方に押し込まれた状態を示す。
【発明を実施するための形態】
【００１３】
以下、本発明を添付図面に基づいて説明する。図１乃至図６に示す本実施形態のこんろは、被加熱物を加熱する加熱部として、こんろ部２ａ，２ｂとグリル部２ｃを備えた卓状設置型のガステーブルこんろである。なお、本発明はテーブルこんろだけでなく、ドロップインコンロにも適用できる。
【００１４】
図２に示すようにこんろ本体１の天面部を構成するトッププレート５には、複数のこんろ部２ａ，２ｂが設けられている。各こんろ部２ａ，２ｂは、トッププレート５上に設置された五徳６と、五徳６の中心に配置されたバーナー３ａ，３ｂとで構成されている。
【００１５】
グリル部２ｃは、こんろ本体１の左右方向の中央部に形成されたこんろ本体１の前方に開口するグリル庫７と、グリル庫７内に設けられたバーナー３ｃ（図３参照）と、グリル庫７の前開口を開閉自在に閉塞するグリル扉８で構成されている。なお、以下では便宜上バーナー３ａ，３ｂを夫々こんろバーナー３ａ，３ｂと記載し、バーナー３ｃをグリルバーナー３ｃと記載する場合がある。
【００１６】
図３に示すように各こんろ部２ａ，２ｂ及びグリル部２ｃには、バーナー３ａ〜３ｃを点火する点火装置１０と、バーナー３ａ〜３ｃが点火状態にあることを検知する点火検知装置１１が設けられている。点火装置１０はイグナイターからなる。また、点火検知装置１１は熱電対からなる。
【００１７】
また、図４のように各こんろ部２ａ，２ｂには、五徳６上に調理容器が載置されたことを検知する容器検知手段９と、五徳６上に載置された調理容器の下面の温度を検知する温度センサー４が設けられている。
【００１８】
点火装置１０、点火検知装置１１、容器検知手段９、及び温度センサー４の夫々の検知情報はこんろ本体１に設けられたマイクロコンピューターからなる制御部にて認識される。なお、制御部は熱電対からなる点火検知装置１１がバーナー３ａ〜３ｃの火炎により加熱されることでバーナー３ａ〜３ｃが点火状態にあるか否かを判断する。
【００１９】
図２に示すようにこんろ本体１のグリル扉８の両側には、グリル扉８と共にこんろ本体１の前面部を構成する前面パネル１２，１３が設けられている。左の前面パネル１２には、左のこんろ部２ａの操作部として、点消火ボタン１４ａ、火力調節レバー１５ａ、及び操作パネル１６ａが設けられている。右の前面パネル１３の左側には、右のこんろ部２ｂの操作部として、点消火ボタン１４ｂ、火力調節レバー１５ｂ、及び操作パネル１６ｂが設けられている。さらに右の前面パネル１３の右側には、グリル部２ｃの操作部として、点消火ボタン１４ｃ、火力調節レバー１５ｃ、及び操作パネル１６ｃが設けられている。
【００２０】
操作パネル１６ａ〜１６ｃは、制御部によりバーナー３ａ〜３ｃの火力の調節や消火を自動制御して行う自動調理モードと手動でバーナー３ａ〜３ｃの火力の調節や消火を行う手動調理モードの切り替えや、自動調理モードにおいて対応するバーナー３ａ〜３ｃの火力や消火のタイミング等を変更するために用いられる。また、点消火ボタン１４ａ〜１４ｃは自動調理モード及び手動調理モードにおいて対応するバーナー３ａ〜３ｃの点火と消火を行うために用いられ、火力調節レバー１５ａ〜１５は手動調理モードにおいて対応するバーナー３ａ〜３ｃの火力を調節するために用いられる。
【００２１】
図３に示すようにバーナー３ａ〜３ｃには、都市ガス等の燃料ガスを供給するガス供給路１８から分岐した分岐路１９ａ〜１９ｃが夫々接続され、各分岐路１９ａ〜１９ｃの途中には器具栓本体２１ａ〜２１ｃが設けられている。各器具栓本体２１ａ〜２１ｃは、対応する点消火ボタン１４ａ〜１４ｃ及び火力調節レバー１５ａ〜１５ｃを加えて器具栓２０ａ〜２０ｃを構成する。
【００２２】
各器具栓２０ａ〜２０ｃは点消火ボタン１４ａ〜１４ｃや火力調節レバー１５ａ〜１５ｃを含めて同様の構成を有する。このため以下では器具栓２０ａについて詳細に説明し、器具栓２０ｂ，２０ｃの詳細な説明は省略する。
【００２３】
器具栓本体２１ａはこんろ本体１に内装され、図１のように点消火ボタン１４ａと火力調節レバー１５ａの後方に配置されている。器具栓本体２１ａにはガス流路２２が形成され、ガス流路２２の上流端にガス導入口２３が形成され、ガス流路２２の下流端にガス導出口２４が形成されている。ガス流路２２には、上流側より安全弁２５用の弁孔２６、メイン弁２８用の弁孔２９が形成されている。
【００２４】
図１のようにガス流路２２は弁孔２９よりも下流側において流路３０と流路３１に分岐している。流路３０には、ラッチ電磁弁３２用の弁孔３３が形成され、流路３１にはラッチ電磁弁３４用の弁孔３５と、この下流側のオリフィス３７が形成されている。流路３０の弁孔３３の下流側と流路３１のオリフィス３７の下流側は合流し、この合流点よりも下流側のガス流路２２には流量制御弁３８用の弁孔３９が形成されている。
【００２５】
ラッチ電磁弁３２，３４による弁孔３３，３５の開閉は前記自動調理モードにおいて制御部により自動で切り替えられ、この弁孔３３，３５の開閉の組み合わせに応じてバーナー３ａの火力が調節される。なお、手動調理モードでの運転時には、通常、ラッチ電磁弁３２，３４用の弁孔３３，３５は開かれるようになっている。また、対応する容器検知手段９により調理容器が検知されていない状態では、ラッチ電磁弁３２，３４により弁孔３３，３５が閉じられ、点消火ボタン１４ａが操作されてもバーナー３ａを点火できないようになっている。
【００２６】
点消火ボタン１４ａは正面視で略矩形状に形成されている。図１のように点消火ボタン１４ａの後部の上端部には被枢支部４１が左右軸回りに回動自在に枢支されてこんろ本体１に取り付けられている。点消火ボタン１４ａには前方に突出する突出部４２が形成され、突出部４２の上面は前下がりで傾斜した押し操作部４３となっている。押し操作部４３は点消火ボタン１４ａにおいて被枢支部４１よりも前側且つ下側に配置されている。従って、押し操作部４３が指で押し操作されると点消火ボタン１４ａは被枢支部４１を中心にして下側後方に回動する。
【００２７】
器具栓本体２１ａの下部には前後方向にスライド自在となるスライダー４４が設けられている。スライダー４４は点消火ボタン１４ａの後方に配置され、前述のように点消火ボタン１４ａが押し操作されると、点消火ボタン１４ａによって後方に押圧され後退する。
【００２８】
器具栓本体２１ａにはスライダー４４を前進位置と後退位置に切り替えて保持する切替機構４５が設けられている。切替機構４５は従来から知られているハート型カムを用いた機構であり、ばね４６を有している。図１（ａ）のようにスライダー４４が前進位置に配置された状態では、点消火ボタン１４ａが突出位置に配置されている。この状態で点消火ボタン１４ａの押し操作部４３が押し操作されると、図１（ｃ）のようにスライダー４４がばね４６に抗して後退位置よりも後方の最後退位置まで後退し、この後、押し操作部４３への押圧力が解除されると、図１（ｂ）のようにスライダー４４はばね４６の付勢力で後退位置まで前進し、このスライダー４４と共に点消火ボタン１４ａも前方に移動して前記突出位置よりも後方に回動した押し込み位置に配置される。また、このように点消火ボタン１４ａが押し込み位置に配置された状態で押し操作部４３が押し操作されると、図１（ｃ）のようにスライダー４４は最後退位置まで後退し、この後、押し操作部４３への押圧力が解除されると、図１（ａ）のようにスライダー４４はばね４６の付勢力で前進位置まで前進し、このスライダー４４と共に点消火ボタン１４ａが突出位置まで回動する。つまり、スライダー４４は点消火ボタン１４ａが押し操作される度に後退位置に配置された状態と前進位置に配置された状態とに切り替えられる。
【００２９】
器具栓本体２１ａには、後側がガス流路２２内に挿入されるバルブロッド４８が設けられている。バルブロッド４８はスライダー４４に連結され、スライダー４４の進退に伴って前後動する。バルブロッド４８の途中には弁孔２９を開閉するメイン弁２８が設けられている。メイン弁２８は、スライダー４４が前進位置に配置されている時には弁孔２９を閉じ、スライダー４４が前進位置よりも後方に配置されている時には弁孔２９を開く。
【００３０】
安全弁２５は電磁弁からなり、通電状態ではソレノイド４９により弁体５０を吸引して弁孔２６を開いた状態を維持し、非通電状態では図示しないばねの付勢力により弁体５０を前方に移動し、弁体５０にて弁孔２６を閉じる。
【００３１】
器具栓本体２１ａには、スライダー４４の前後位置に応じてＯＮ／ＯＦＦが切り替わる器具栓スイッチ（図示せず）が設けられている。器具栓スイッチは、スライダー４４が後退位置及びこれよりも後方に配置された時にＯＮになり、スライダー４４が前進位置に配置された時にＯＦＦになる。
【００３２】
制御部は、器具栓スイッチがＯＮになると安全弁２５への通電を開始すると共にバーナー３ａの点火装置１０を駆動し、器具栓スイッチがＯＦＦになると安全弁２５への通電を停止して弁孔２６を閉じる。
【００３３】
また、制御部は、点火検知装置１１により火炎が検知されている場合にのみ安全弁２５への通電状態を維持し、火炎が検知されなくなると安全弁２５への通電を遮断して弁孔２６を閉じる。このため、煮こぼれや風により立ち消えが起こって点火検知装置１１により火炎が検知されなくなった場合に、燃料ガスの流出が防止される。また、制御部は、温度センサー４により検知された調理容器の下面の温度が所定の温度（例えば２５０℃）に達した場合も、空焚きや焦げ付き等の異常が発生していると判定して、安全弁２５への通電を遮断して弁孔２６を閉じる。
【００３４】
バーナー３ａの点火を行うには突出位置に配置された点消火ボタン１４ａの押し操作部４３を押し操作する。すると、スライダー４４が前進位置から最後退位置を経て後退位置に移動し、メイン弁２８用の弁孔２９が開くと共に後退するバルブロッド４８により弁体５０が後方に移動させられて弁孔２６が開き、これにより燃料ガスがガス供給路１８から器具栓２０ａを介してバーナー３ａに供給される。また、この際に器具栓スイッチがＯＮになり、点火装置１０が駆動してバーナー３ａへの点火がなされると共に、安全弁２５に通電がなされる。
【００３５】
バーナー３ａの消火を行うには押し込み位置に配置された点消火ボタン１４ａの押し操作部４３を押し操作する。すると、スライダー４４が後退位置から最後退位置を経て前進位置に移動し、メイン弁２８で弁孔２９が閉じられる。また、器具栓スイッチがＯＦＦになって、前記安全弁２５への通電が遮断される。これによりバーナー３ａへの燃料ガスの供給は遮断され、バーナー３ａは消火される。
【００３６】
火力調節レバー１５ａはその後端部が器具栓本体２１ａの上部に設けられた枢支部４０に上下軸回りに回動自在に枢支されている。枢支部４０は点消火ボタン１４ａよりも後方に配置されている。火力調節レバー１５ａの前端部には指で操作される摘み部５２（図２等参照）が設けられ、火力調節レバー１５ａは摘み部５２を左右に移動することで枢支部４０を中心にして左右に回動する。なお、図１では摘み部５２の図示を省略している。
【００３７】
器具栓本体２１ａの上部には火力調節レバー１５ａと連動する流量制御弁３８が設けられている。流量制御弁３８は器具栓本体２１ａに対して前後方向にスライド自在となるニードルで構成されている。流量制御弁３８はその前後位置により弁孔３９との間に形成される隙間の大きさが変わり、流量制御弁３８が前方に位置する程前記隙間の大きさは大きくなる。このため流量制御弁３８が前方に位置する程下流側に供給される燃料ガスの流量が大きくなる。
【００３８】
流量制御弁３８の前端部には上方に突出するピン５３が設けられている。ピン５３の上端部は火力調節レバー１５ａに形成された挿入孔５４に挿入されている。挿入孔５４は火力調節レバー１５ａの回動中心となる枢支部４０よりも前方に位置し、平面視で右側に行く程枢支部４０に近づく弧状に形成されている。このため、火力調節レバー１５ａが右側へ回動すると流量制御弁３８は前進し、火力調節レバー１５ａが左側へ回動すると流量制御弁３８は後退する。この際の流量制御弁３８の前進量は火力調節レバー１５ａの右側への回動量が大きい程大きくなる。従って、火力調節レバー１５ａの回動量を調節することで、バーナー３ａへの燃料ガス供給量、ひいてはバーナー３ａの火力を調節することができる。
【００３９】
前記点消火ボタン１４ａ〜１４ｃ及び火力調節レバー１５ａ〜１５ｃを設けるにあたって、左の前面パネル１２にはこんろバーナ−３ａ用の操作部用開口３６ａが形成され、右の前面パネル１３にはこんろバーナ−３ｂ用の操作部用開口３６ｂ及びグリルバーナー３ｃ用の操作部用開口３６ｃが設けられている。
【００４０】
各操作部用開口３６ａ〜３６ｃは正面視矩形状の孔からなり、各操作部用開口３６ａ〜３６ｃには対応する点消火ボタン１４ａ〜１４ｃが配置されている。
【００４１】
各点消火ボタン１４ａ〜１４ｃは、突出部４２を前面パネル１２又は１３よりも前方に突出させた状態で、対応する操作部用開口３６ａ〜３６ｃの下寄りの位置に配置されている。各点消火ボタン１４ａ〜１４ｃと対応する操作部用開口３６ａ〜３６ｃの左右及び下の縁部との間には前記点消火ボタン１４ａ〜１４ｃの動作を許容する程度のわずかな隙間が形成されているだけだが、各点消火ボタン１４ａ〜１４ｃと操作部用開口３６ａ〜３６ｃの上縁部の間には、他部と比べてやや幅の広い左右に長い略矩形状のレバー用隙間４７ａ〜４７ｃが形成されている。
【００４２】
点消火ボタン１４ａ〜１４ｃから操作部用開口３６ａ〜３６ｃの上縁部にまで亘る幅を有する、各レバー用隙間４７ａ〜４７ｃには、対応する火力調節レバー１５ａ〜１５ｃが通され、各火力調節レバー１５ａ〜１５ｃの摘み部５２は前面パネル１２又は１３よりも前方に配置されている。火力調節レバー１５ａ〜１５ｃを操作すると、その前端部はレバー用隙間４７ａ〜４７ｃにおいてレバー用隙間４７ａ〜４７ｃの長手方向と平行に移動するようになっている。
【００４３】
このように前面パネル１２，１３の操作部用開口３６ａ〜３６ｃに点消火ボタン１４ａ〜１４ｃが配置されると共に、この操作部用開口３６ａ〜３６ｃの縁部と点消火ボタン１４ａ〜１４ｃの間に形成されたレバー用隙間４７ａ〜４７ｃに火力調節レバー１５ａ〜１５ｃが配置されるため、従来のように前面パネル１２，１３に点消火ボタン１４ａ〜１４ｃを配置するための開口と、火力調節レバー１５ａ〜１５ｃを配置するための開口を別々に形成する必要がない。このため、前面パネル１２，１３の強度低下を抑えることができる。また、点消火ボタン１４ａ〜１４ｃと火力調節レバー１５ａ〜１５ｃの両者を狭いエリアに配置できる。
【００４４】
また、本実施形態のこんろの前面パネル１３を、いわゆるオートグリル機能を有し、火力調節レバーを省略したこんろの前面パネルとして用いることができる。この場合、操作部用開口３６ｃにグリルバーナー用の点消火ボタンのみが配置されてレバー用隙間４７ｃの部分には何も配置されないことになるが、この部分は操作部用開口３６ｃに点消火ボタンが配置されることで目立ち難い隙間となる。従って、美観を大きく損なうことなく前面パネル１３を、火力調節レバーを省略したこんろの前面パネルとして兼用できる。
【００４５】
また、本実施形態のこんろは、点消火ボタン１４ａ〜１４ｃの押し操作部４３が点消火ボタン１４ａ〜１４ｃの被枢支部４１よりも前側且つ下側の位置に配置され、レバー用隙間４７ａ〜４７ｃが点消火ボタン１４ａ〜１４ｃと操作部用開口３６ａ〜３６ｃの上縁部との間に形成されるものである。このため、点消火ボタン１４ａ〜１４ｃ上に付着した汚れを掃除するにあたって、火力調節レバー１５ａ〜１５ｃを適宜左右方向に移動すると共に点消火ボタン１４ａ〜１４ｃを押し操作することで、操作部用開口３６ａ〜３６ｃの上縁と点消火ボタン１４ａ〜１４ｃとの間に掃除用の布等を挿入するための比較的大きな隙間を形成することができ、点消火ボタン１４ａ〜１４ｃを容易に掃除できるという利点もある。
【００４６】
すなわち、図８の参考例に示すように前面パネル１２′に点消火ボタン１４ａ′用の開口６０と火力調節レバー１５ａ′用の開口６１を別々に設けた場合において、図８（ａ）に示すように開口６１の上縁と火力調節レバー１５ａ′との間に形成される隙間の寸法をＧａ′、開口６１の下縁と火力調節レバー１５ａ′との間に形成される隙間の寸法をＧｂ′、火力調節レバー１５ａ′の厚みをＴ′、開口６０の上縁と点消火ボタン１４ａ′との間に形成される隙間の寸法をＧｃ′とし、図８（ｂ）のように点消火ボタン１４ａ′を押し操作したときのＧｃ′の増加分をΔＧｃ′とし、押し込んだ点消火ボタン１４ａ′の上方に形成される掃除用の布等を挿入するための隙間の寸法をＧ′とすると、Ｇ′＝Ｇｃ′＋ΔＧｃ′となる。これに対して、本実施形態のこんろの場合、図６（ａ）の説明図に示すように、操作部用開口３６ａの上縁と火力調節レバー１５ａとの隙間の寸法をＧａ、火力調節レバー１５ａと点消火ボタン１４ａとの隙間の寸法をＧｄ、火力調節レバー１５ａの厚みをＴとし、図６（ｂ）のように点消火ボタン１４ａの上面の汚れを掃除するために点消火ボタン１４ａを押し操作したときのＧｄの増加分をΔＧｄとし、点消火ボタン１４ａの掃除をする箇所の上方に火力調節レバー１５ａ〜１５ｃが位置しないよう火力調節レバー１５ａ〜１５ｃを適宜左右方向に移動した状態で点消火ボタン１４ａを押し込んだ場合に、点消火ボタン１４ａの上方に形成される掃除用の布等を挿入するための隙間の寸法、すなわち点消火ボタン１４ａから操作部用開口３６ａの上縁までの距離をＧとすると、Ｇ＝Ｇａ＋Ｔ＋Ｇｄ＋ΔＧｄとなる。Ｇａ＝Ｇａ′，Ｔ＝Ｔ′，Ｇｄ≒Ｇｃ′、ΔＧｄ≒ΔＧｃ′となるので、ＧはＧ′と比べて約Ｇａ＋Ｔ大きくなる。従って、点消火ボタン１４ａ〜１４ｃ上に付着した汚れを容易に掃除できる。
【００４７】
また、上記のように点消火ボタン１４ａ〜１４ｃの上方に火力調節レバー１５ａ〜１５ｃを配置することで、手を下に伸ばして火力調節レバー１５ａ〜１５ｃを操作するときに点消火ボタン１４ａ〜１４ｃが邪魔になり難く、火力調節レバー１５ａ〜１５ｃを容易に操作することができる。また、これにより火力調節レバー１５ａ〜１５ｃの前方への突出量を短くできる。
【００４８】
なお、上記実施形態では、操作部用開口３６ａ〜３６ｃにおいて点消火ボタン１４ａ〜１４ｃの上に火力調節レバー１５ａ〜１５ｃを配置したが、これに限定されるものではなく、操作部用開口３６ａ〜３６ｃにおいて点消火ボタン１４ａ〜１４ｃの下、左、又は右にレバー用隙間４７ａ〜４７ｃを形成し、このレバー用隙間４７ａ〜４７ｃに火力調節レバー１５ａ〜１５ｃを配置しても構わない。
【００４９】
また、操作部用開口３６ａ〜３６ｃにおいて点消火ボタン１４ａ〜１４ｃの下に火力調節レバー１５ａ〜１５ｃを配置する場合、図７のように点消火ボタン１４ａ〜１４ｃの押し操作部４３が点消火ボタン１４ａ〜１４ｃの被枢支部４１よりも前側且つ上側の位置に配置され、点消火ボタン１４ａ〜１４ｃと操作部用開口３６ａ〜３６ｃの下縁部との間に形成されたレバー用隙間４７ａ〜４７ｃに火力調節レバー１５ａ〜１５ｃが配置されることも好ましい。この例では、点消火ボタン１４ａ〜１４ｃを押し操作することで、火力調節レバー１５ａ〜１５ｃの上方に掃除用の布等を挿入するための比較的大きな隙間を形成することができ、これにより火力調節レバー１５ａ〜１５ｃの上面を容易に掃除できる。また、点消火ボタン１４ａ〜１４ｃの下方に火力調節レバー１５ａ〜１５ｃが配置されるので、手を下に伸ばして点消火ボタン１４ａ〜１４ｃを下方に手を伸ばして押し操作するときに火力調節レバー１５ａ〜１５ｃが邪魔になり難くなる。なお、この例のこんろは上記実施形態と同様の構成を有するため詳細な説明は省略する。
【符号の説明】
【００５０】
３ａ  バーナー
３ｂ  バーナー
３ｃ  バーナー
１２  前面パネル
１３  前面パネル
１４ａ  点消火ボタン
１４ｂ  点消火ボタン
１４ｃ  点消火ボタン
１５ａ  火力調節レバー
１５ｂ  火力調節レバー
１５ｃ  火力調節レバー
３６ａ  操作部用開口
３６ｂ  操作部用開口
３６ｃ  操作部用開口
４１  被枢支部
４３  押し操作部
４７ａ  レバー用隙間
４７ｂ  レバー用隙間
４７ｃ  レバー用隙間
【図１】
0005616677.tif 000002
【図２】
0005616677.tif 000003
【図３】
0005616677.tif 000004
【図４】
0005616677.tif 000005
【図５】
0005616677.tif 000006
【図６】
0005616677.tif 000007
【図７】
0005616677.tif 000008
【図８】
0005616677.tif 000009